(57)【要約】【課題】従来の立体形成部体では得られない新鮮さや奇抜さを表現できる起伏自在組立て装飾体の提供。【解決手段】垂直支持主板ａに対し複数枚の水平支持板ｂ〜ｄが上下に所要の間隔で直交配置され、複数枚の垂直支持副板ｅ，ｅ′が垂直支持主板ａの左右対称位置に平行にしてかつ水平支持板ｂ〜ｄに対し直交配置され、これら垂直支持主板、垂直支持副板および水平支持板が、その各々に形成した挿込み噛合手段で連繋され、全体として一種の複合リンク機構をなし、垂直支持主板ａと垂直支持副板ｅ，ｅ′との間に相対的に上下に移動する方向の力が作用すると、扁平状態または組立て状態とに起伏自在である組立て装飾体。【選択図】  図１
2004351883.tif 000002
【特許請求の範囲】
【請求項１】
（１）  垂直支持主板に対し複数枚の水平支持板が上下に所要の間隔をおいて直交配置されるとともに、複数枚の垂直支持副板が上記垂直支持主板の左右対称位置に平行にしてかつ上記水平支持板に対し直交配置され、さらに、これら垂直支持主板、垂直支持副板および水平支持板が、その各々に形成した挿込み噛合手段で連繋され、全体として一種の複合リンク機構をなし、
（２）  垂直支持主板と垂直支持副板との間に相対的に上下に移動する方向の力が作用すると、挿込み噛合手段において、垂直支持主板に対し水平支持板および垂直支持副板がそれぞれ所定方向に回動して重合し扁平状態になり、
（３）  その扁平状態において、垂直支持主板と垂直支持副板との間に上記とは反対方向の力が作用すると、上記各挿込み噛合手段において、垂直支持主板に対し水平支持板および垂直支持副板が、それぞれ上記所定方向とは反対方向に回動して元の組立て状態に戻ることができるようにしてなることを特徴とする起伏自在組立て装飾体。
【請求項２】
折り畳み式カード等の冊子に対し、その開閉と起立・伏倒によって、上記直交組立て状態と斜交扁平状態とになるように、垂直支持主板に設けた透孔等の吊下げ手段により吊下装架されていることを特徴とする請求項１記載の起伏自在組立て装飾体。
【請求項３】
上記各挿込み噛合手段が、当該板の厚さの約３〜４倍の幅の複数の細溝を一直線上に所要の間隔で設け、かつ、所要の細溝で接続して、その間の部分を凸片とするとともに、一側端側の細溝の端を当該板の辺縁に開口させてなり、対応する挿込み噛合手段の各部は、細溝が互いに相手方の無溝部分に噛合するとともに、一方の細溝と他方の凸片が噛合し、一方の凸片と他方の細溝が噛合するようにしてなることを特徴とする請求項１または２記載の起伏自在組立て装飾体。
【発明の詳細な説明】
【０００１】
【発明の属する技術分野】
本発明は、複数の薄層パーツをたがいに係合または噛合することにより起伏自在に組み立てた起伏自在組立て装飾体に関する。
【０００２】
【従来の技術】
従来、折り畳み式のカードやカタログ、絵本等（以下「冊子」という。）に立体形成部体を設け、その立体形成部体を冊子の開閉に連動して起伏するようにしたものが各種知られている。
上記立体形成部体としては、冊子の連続する２紙葉（頁）にわたる部分に所要の切込みと折曲線を所望の形状にして形成するもの（特許文献１）、あるいはまた、所要の折曲線を入れて所要の輪郭形状にした少なくとも１以上の紙片を単独または組み合わせて、冊子の連続する２紙葉（頁）にわたる部分に糊付け固定してなるもの（特許文献２）がある。
【０００３】
【特許文献１】
特開平８−１９１９６１号公報
【特許文献２】
特開平９−２０１４７９号公報
【０００４】
【発明が解決しようとする課題】
上記従来の立体形成部体は、その切込みまたは折曲線の形状や輪郭形状を変化させることにより、ある程度目先感の変わったものにすることができるとはいえ、冊子の連続する紙葉（頁）自体に所要の切込みと折曲線を所望の形状にして形成するとか、所要の折曲線を入れて所要の輪郭形状にした少なくとも１以上の紙片を単独または組み合わせ状態にして、冊子の連続する２紙葉（頁）に糊付け固定するといった構成自体が、陳腐化しているため、切込みまたは折曲線の形状等を変える程度では、もはや新鮮味や奇抜感を出すにも限界状態になっていると認められる。
【０００５】
本発明は、上記従来の立体形成部体では得られない新鮮さや奇抜さを表現できるようにするために提案されたもので、複数の薄層パーツをたがいに係合または噛合することにより組み立てられ、垂直支持主板が起立するのに伴って立体化し、また、その垂直支持主板が伏倒するのに伴っ扁平化するようにした起伏自在組立て装飾体である。
【０００６】
本発明装飾体は、それ自体で単体の商品となり得るとともに、上記従来の立体形成部体の場合のように、冊子の一部としてその所要部位に装架して利用することも可能である。
【０００７】
【課題を解決するための手段】
請求項１記載の本発明起伏自在組立て装飾体は、
（１）  垂直支持主板ａに対し複数枚の水平支持板ｂ，ｃ，ｄが上下に所要の間隔をおいて直交配置されるとともに、複数枚の垂直支持副板ｅ，ｅ′が上記垂直支持主板ａの左右対称位置に平行にしてかつ上記水平支持板ｂ，ｃ，ｄに対し直交配置され、さらに、これら垂直支持主板ａ、垂直支持副板ｅ，ｅ′および水平支持板ｂ，ｃ，ｄが、その各々に形成した挿込み噛合手段ア〜ウ、エｂ〜エｄ，オｂ〜オｄ，カｂ〜カｄ、キｅ，キｅ′、クｅ，クｅ′、ケｅ，ケｅ′で連繋され、全体として一種の複合リンク機構をなし、
（２）  垂直支持主板ａと垂直支持副板ｅ，ｅ′との間に相対的に上下に移動する方向の力が作用すると、挿込み噛合手段ア〜ウ、エｂ〜エｄ，オｂ〜オｄ，カｂ〜カｄ、キｅ，キｅ′、クｅ，クｅ′、ケｅ，ケｅ′において、垂直支持主板ａに対し水平支持板ｂ，ｃ，ｄおよび垂直支持副板ｅ，ｅ′がそれぞれ所定方向に回動して重合し扁平状態になり、
（３）  その扁平状態において、垂直支持主板ａと垂直支持副板ｅ，ｅ′との間に上記とは反対方向の力が作用すると、上記各挿込み噛合手段ア〜ウ、エｂ〜エｄ，オｂ〜オｄ，カｂ〜カｄ、キｅ，キｅ′、クｅ，クｅ′、ケｅ，ケｅ′において、垂直支持主板ａに対し水平支持板ｂ，ｃ，ｄおよび垂直支持副板ｅ，ｅ′が、それぞれ上記所定方向とは反対方向に回動して元の組立て状態に戻ることができるようにしてなる。
【０００８】
請求項２記載の本発明は、折り畳み式カードＢ等の冊子に対し、その開閉と起立・伏倒によって、上記直交組立て状態と斜交扁平状態とになるように、垂直支持主板ａに設けた透孔１８等の吊下げ手段により吊下装架されている請求項１記載の起伏自在組立て装飾体である。
【０００９】
請求項３記載の本発明は、上記各挿込み噛合手段（例えば垂直支持主板ａのア〜ウ）が、当該板（例えば垂直支持主板ａ）の厚さの約３〜４倍の幅の複数の細溝（例えば６〜８，１０〜１２，１４〜１６）を一直線上に所要の間隔で設け、かつ、所要の細溝（例えば７と８，１１と１２，１５と１６）の間を切溝（例えば９，１３，１７）で接続して、その間の部分を凸片（例えば９′，１３′，１７′）とするとともに、一側端側の細溝（例えば８，１２，１６）の端を当該板（例えば垂直支持主板ａ）の辺縁に開口させてなり、対応する挿込み噛合手段（例えば上記アおよびエｂ）の各部は、細溝（例えば６〜８と１９ｂ〜２１ｂ）が互いに相手方の無溝部分に噛合するとともに、一方の細溝（例えば６）と他方の凸片（例えば２２′ｂ）が噛合し、一方の凸片（例えば９′）と他方の細溝（例えば２１ｂ）が噛合するようにしてなる請求項１または２記載の起伏自在組立て装飾体である。
【００１０】
【発明の実施の形態】
以下本発明を図示の実施形態について詳しく説明する。
【００１１】
図１〜１１に示す実施形態は、本発明装飾体をフグ目マンボウ科の海産魚マンボウの体型に具現化したもので、それは、紙または合成樹脂製の薄層板から切り抜きまたは打ち抜きした複数のパーツ、さらに具体的には、１枚の垂直支持主板ａ、３枚の水平支持板ｂ，ｃ，ｄおよび２枚の垂直支持副板ｅ，ｅ′から組み立てられる。
【００１２】
上記垂直支持主板ａは、図２に示すように、頭部１に続く主部２の上下に背びれ部３およびしりびれ部４を延出するとともに、主部２の後側を舵びれ部５とし、その輪郭形状を、マンボウを側方から見た状態の外形を表したものとしている。
【００１３】
アは、上記頭部１，主部２および背びれ部３にわたる体軸線に沿って、該垂直支持主板ａの厚さの約３〜４倍の細溝６〜８を所要の間隔で設け、かつ、細溝７と８の間を切溝９で接続して、その間の部分を凸片９′とするとともに、細溝８の後端を上記舵びれ部５の該辺縁に開口させてなる挿込み噛合手段である。
【００１４】
イは、上記細溝６〜８の上側に少し離れた位置に、上記挿込み噛合手段アに平行させて、上記と同じ幅の細溝１０〜１２を所要の間隔で設け、かつ、細溝１１と１２の間を切溝１３で接続して、その間の部分を凸片１３′とするとともに、細溝１２の後端を上記舵びれ部５の辺縁に開口させてなる挿込み噛合手段である。
【００１５】
ウは、上記細溝６〜８の下側に少し離れた位置に、同じく上記挿込み噛合手段アに平行させて、上記と同じ幅の細溝１４〜１６を所要の間隔で設け、かつ、細溝１５と１６の間を切溝１７で接続して、その間の部分を凸片１７′とするとともに、細溝１６の後端を上記舵びれ部５の辺縁に開口させてなる挿込み噛合手段である。
【００１６】
１８は上記背びれ部３の先端付近に開設した吊下げ手段たる透孔である。
【００１７】
次に、上記水平支持板ｂ，ｃ，ｄは、図３に示すように、それぞれの輪郭形状を、マンボウをその体軸線を含む水平面，その上側に所要の間隔をおいた平行面，その下側に所要の間隔をおいた平行面における外形を表したものとしている。
【００１８】
エｂ，エｃおよびエｄは、各水平支持板ｂ，ｃおよびｄの中心線上に、該水平支持板ｂ，ｃ，ｄの厚さの約３〜４倍の幅の細溝１９ｂ〜２１ｂ，１９ｃ〜２１ｃおよび１９ｄ〜２１ｄを所要の間隔で設け、かつ、細溝１９ｂと２０ｂ，１９ｃと２０ｃおよび１９ｄと２０ｄの間を切溝２２ｂ，２２ｃおよび２２ｄで接続して、その間の部分を凸片２２′ｂ，２２′ｃおよび２２′ｄとするとともに、細溝１９ｂ，１９ｃおよび１９ｄの前端を各水平支持板ｂ，ｃおよびｄの前端辺縁に開口させてなる挿込み噛合手段である。
【００１９】
オｂ，オｃおよびオｄは、各水平支持板ｂ，ｃおよびｄの中心線の左側に少し離れた位置に、上記と同じ幅の細溝２３ｂ〜２５ｂ，２３ｃ〜２５ｃおよび２３ｄ〜２５ｄを所要の間隔で設け、かつ、細溝２３ｂと２４ｂ，２３ｃと２４ｃおよび２３ｄと２４ｄの間を切溝２６ｂ，２６ｃおよび２６ｄで接続して、その間の部分を凸片２６′ｂ，２６′ｃおよび２６′ｄとするとともに、細溝２３ｂ，２３ｃおよび２３ｄの前端を各水平支持板ｂ，ｃおよびｄの辺縁に開口させてなる挿込み噛合手段である。
【００２０】
カｂ，カｃおよびカｄは、各水平支持板ｂ，ｃおよびｄの中心線の右側に少し離れた位置に、上記と同じ幅の細溝２７ｂ〜２９ｂ，２７ｃ〜２９ｃおよび２７ｄ〜２９ｄを所要の間隔で設け、かつ、細溝２７ｂと２８ｂ，２７ｃと２８ｃおよび２７ｄと２８ｄの間を切溝３０ｂ，３０ｃおよび３０ｄで接続して、その間の部分を凸片３０′ｂ，３０′ｃおよび３０′ｄとするとともに、細溝２７ｂ，２７ｃおよび２７ｄの前端を各水平支持板ｂ，ｃおよびｄの辺縁に開口させてなる挿込み噛合手段である。
【００２１】
上記２枚の垂直支持副板ｅ，ｅ′は、図４に示すように、その輪郭形状を、マンボウをその体軸線を挟む含む所要左右対称部位での垂直面における外形を表したものとしている。
【００２２】
キｅ，キｅ′は、その各垂直支持副板ｅ，ｅ′の中心線上に、該垂直支持副板ｅ，ｅ′の厚さの約３〜４倍の幅の細溝３１〜３３を所要の間隔で設け、かつ、細溝３２と３３の間を切溝３４で接続して、その間の部分を凸片３４′とするとともに、細溝３３の後端を該垂直支持副板ｅの後端辺縁に開口させてなる挿込み噛合手段である。
【００２３】
クｅ，クｅ′は、各垂直支持副板ｅ，ｅ′の中心線の左側に少し離れた位置に、上記と同じ幅の細溝３５〜３７を所要の間隔で設け、かつ、細溝３６と３７の間を切溝３８で接続して、その間の部分を凸片３８′とするとともに、細溝３７の後端を該垂直支持副板ｅの後端辺縁に開口させてなる挿込み噛合手段である。
【００２４】
ケｅ，ケｅ′は、  各垂直支持副板ｅ，ｅ′の中心線の右側に少し離れた位置に、上記と同じ幅の細溝３９〜４１を所要の間隔で設け、かつ、細溝４０と４１の間を切溝４２で接続して、その間の部分を凸片４２′とするとともに、細溝４１の後端を該垂直支持副板ｅの後端辺縁に開口させてなる挿込み噛合手段である。
【００２５】
上記構成からなる１枚の垂直支持主板ａ、３枚の水平支持板ｂ，ｃ，ｄおよび２枚の垂直支持副板ｅ，ｅ、すなわち複数の薄層パーツは、次のように組み立てられ、マンボウの体型を具現化する。
【００２６】
まず、垂直にした垂直支持主板ａの後方に水平支持板ｂを水平にして対向させるとともに、前者の挿込み噛合手段アの細溝８に後者の挿込み噛合手段エｂの細溝１９ｂを一致させた状態において、両者を互いに押進する。
これにより、両者の細溝６〜８と１９ｂ〜２１ｂが互いに相手方の無溝部分に噛合するもので、特に前者の細溝６と後者の凸片２２′ｂが噛合するとともに、前者の凸片９′と後者の細溝２１ｂが噛合し、前者と後者は直交状態となる（図５（ａ））。
この場合、前者の凸片９′および後者の凸片２２′ｂには、上記押進時に所要の捻れを生じる力を加え、その厚さ方向に少しく偏倚せしめて切溝９および２２ｂを拡開し、互いに相手方の無溝部分を通過させる。
【００２７】
次に、上記垂直支持主板ａの後方に水平支持板ｃを水平にして対向させるとともに、前者の挿込み噛合手段イの細溝１２に後者の挿込み噛合手段エｃの細溝１９ｃを一致させた状態において、両者を互いに押進する。
これにより、両者の細溝１０〜１２と１９ｃ〜２１ｃが互いに相手方の無溝部分に噛合するもので、特に前者の細溝１０と後者の凸片２２′ｃが噛合するとともに、前者の凸片１３′と後者の細溝２１ｃが噛合し、前者と後者は直交状態となる。
この場合、前者の凸片１３′および後者の凸片２２′ｃには、上記押進時に所要の捻れを生じる力を加え、その厚さ方向に少しく偏倚せしめて切溝１３および２２ｃを拡開し、互いに相手方の無溝部分を通過させる。
【００２８】
同様にして、上記垂直支持主板ａの後方に水平支持板ｄを水平にして対向させるとともに、前者の挿込み噛合手段ウの細溝１６に後者の挿込み噛合手段エｄの細溝１９ｄを一致させた状態において、両者を互いに押進する。
これにより、両者の細溝１４〜１６と１９ｄ〜２１ｄが互いに相手方の無溝部分に噛合するもので、特に前者の細溝１４と後者の凸片２２′ｄが噛合するとともに、前者の凸片１７′と後者の細溝２１ｄが噛合し、前者と後者は直交状態となる。
この場合、前者の凸片１７′および後者の凸片２２′ｄには、上記押進時に所要の捻れを生じる力を加え、その厚さ方向に少しく偏倚せしめて切溝１７および２２ｄを拡開し、互いに相手方の無溝部分を通過させる。
【００２９】
以上により、図７に示すように、垂直な垂直支持主板ａに対し水平支持板ｂ〜ｄを上下に所要の間隔をおいて水平に装着した半組立て体Ａ′ができる。
【００３０】
続いて、その半組立て体Ａ′に対し、例えばまず、垂直支持副板ｅを垂直にして、水平支持板ｂ〜ｄの前方に対向させるとともに、垂直支持副板ｅの挿込み噛合手段キｅ，ケｅ，クｅの細溝３３，４１，３７を水平支持板ｂ〜ｄの挿込み噛合手段カｂ，カｃ，カｄの細溝２７ｂ，２７ｃ，２７ｄと一致させた状態において、互いを押進する。
【００３１】
これにより、垂直支持副板ｅの細溝３１〜３３と水平支持板ｂの細溝２７ｂ〜２９ｂが、また、垂直支持副板ｅの細溝３９〜４１と水平支持板ｃの細溝２７ｃ〜２９ｃが、さらに、垂直支持副板ｅの細溝３５〜３７と水平支持板ｄの細溝２７ｄ〜２９ｄが、互いに相手方の無溝部分に噛合する。
かつ、同時に、垂直支持副板ｅの細溝３１が水平支持板ｂの凸片３０′ｂに嵌合するとともに、垂直支持副板ｅの凸片３４′に水平支持板ｂの細溝２９ｂが嵌合し、また、垂直支持副板ｅの細溝３９が水平支持板ｃの凸片３０′ｃに嵌合するとともに、垂直支持副板ｅの凸片４２′に水平支持板ｂの細溝２９ｃが嵌合し、さらに、垂直支持副板ｅの細溝３５が水平支持板ｄの凸片３０′ｄに嵌合するとともに、垂直支持副板ｅの凸片３８′に水平支持板ｄの細溝２９ｄが嵌合する。
【００３２】
この場合、上記各凸片３０′ｂ〜３０′ｄ，３４′，３８′および４２′には、上記押進時に所要の捻れを生じる力を加え、その厚さ方向に少しく偏倚せしめて対応する切溝３０ｂ〜３０ｄ，３４，３８および４２を拡開し、互いに相手方の無溝部分を通過させる。
【００３３】
同様にして、上記半組立て体Ａ′に対し、垂直支持副板ｅ′を垂直にして、水平支持板ｂ〜ｄの前方に対向させるとともに、垂直支持副板ｅ′の挿込み噛合手段キｅ′，ケｅ′，クｅ′の細溝３３，４１，３７を水平支持板ｂ〜ｄの挿込み噛合手段オｂ，オｃ，オｄの細溝２３ｂ，２３ｃ，２３ｄと一致させた状態において、互いを押進する。
【００３４】
これにより、垂直支持副板ｅ′の細溝３１〜３３と水平支持板ｂの細溝２３ｂ〜２５ｂが、また、垂直支持副板ｅ′の細溝３９〜４１と水平支持板ｃの細溝２３ｃ〜２５ｃが、さらに、垂直支持副板ｅ′の細溝３５〜３７と水平支持板ｄの細溝２３ｄ〜２５ｄが、互いに相手方の無溝部分に噛合する。
かつ、同時に、垂直支持副板ｅ′の細溝３１が水平支持板ｂの凸片２６′ｂに噛合するとともに、垂直支持副板ｅ′の凸片３４′に水平支持板ｂの細溝２５ｂが噛合し、また、垂直支持副板ｅ′の細溝３９が水平支持板ｃの凸片２６′ｃに噛合するとともに、垂直支持副板ｅ′の凸片４２′に水平支持板ｂの細溝２５ｃが噛合し、さらに、垂直支持副板ｅ′の細溝３５に水平支持板ｄの凸片２６′ｄが噛合するとともに、垂直支持副板ｅ′の凸片３８′に水平支持板ｄの細溝２５ｄが噛合する。
【００３５】
この場合、上記各凸片２６′ｂ〜２６′ｄ，３４′，３８′および４２′には、上記押進時に所要の捻れを生じる力を加え、その厚さ方向に少しく偏倚せしめて対応する切溝２６ｂ〜２６ｄ，３４，３８および４２を拡開し、互いに相手方の無溝部分を通過させることは、上記垂直支持副板ｅの場合と同じである。
【００３６】
以上詳述のように、上記半組立て体Ａ′に垂直支持副板ｅ，ｅ′を組み付けることによって、マンボウの体型に具現化した立体の本発明起伏自在組立て装飾体Ａが完成する（図１）。
【００３７】
上記から明らかなように、この装飾体Ａは、１枚の垂直な垂直支持主板ａに対し３枚の水平支持板ｂ，ｃ，ｄが上下に所要の間隔をおいて水平な状態をなし、また、その水平支持板ｂ，ｃ，ｄの左右対称位置に２枚の垂直支持副板ｅ，ｅ′が垂直な状態をなし、それらが挿込み噛合手段ア〜ウ、エｂ〜エｄ，オｂ〜オｄ，カｂ〜カｄ、キｅ，キｅ′、クｅ，クｅ′、ケｅ，ケｅ′で連繋された一種の複合リンク機構をなしているということができる。
【００３８】
すなわち、装飾体Ａは、垂直支持主板ａと垂直支持副板ｅ，ｅ′とが相対的に上下に移動する方向の力が作用すると、挿込み噛合手段ア〜ウ、エｂ〜エｄ，オｂ〜オｄ，カｂ〜カｄ、キｅ，キｅ′、クｅ，クｅ′、ケｅ，ケｅ′において、垂直支持主板ａに対し水平支持板ｂ，ｃ，ｄおよび垂直支持副板ｅ，ｅ′が、それぞれ所定方向に回動して重合し扁平状態になることができる。
【００３９】
その扁平状態のものは、上記とは反対方向の力が作用すると、上記各挿込み噛合手段において、垂直支持主板ａに対し水平支持板ｂ，ｃ，ｄおよび垂直支持副板ｅ，ｅ′が、それぞれ上記所定方向とは反対方向に回動し、元の組立て状態の装飾体Ａに戻ることができる。
【００４０】
上記において、垂直支持主板ａ、水平支持板ｂ，ｃ，ｄおよび垂直支持副板ｅ，ｅ′が、挿込み噛合手段ア〜ウ、エｂ〜エｄ，オｂ〜オｄ，カｂ〜カｄ、キｅ，キｅ′、クｅ，クｅ′、ケｅ，ケｅ′において回動する様子は、いずれも実質上同じなので、ここでは、垂直支持主板ａと水平支持板ｂとの間の挿込み噛合手段アおよびエｂを代表例とし、これらの回動の様子について見ることとする。
【００４１】
装飾体Ａの組立て状態における垂直支持主板ａと水平支持板ｂとの間の挿込み噛合手段アおよびエｂ（図５（ａ））の各部は、図５（ｂ）〜（ｆ）に示すとおり互いに直交する状態において噛合する。
すなわち、挿込み噛合手段アおよびエｂは、細溝６〜８と１９ｂ〜２１ｂが互いに相手方の無溝部分に噛合するもので、特に前者の細溝６と後者の凸片２２′ｂが噛合するとともに、前者の凸片９′と後者の細溝２１ｂが噛合し、前者と後者は直交状態となる（図５（ａ）〜（ｆ））。
これによって、垂直支持主板ａと水平支持板ｂは直交組立て状態を保持する。
【００４２】
装飾体Ａの扁平状態における垂直支持主板ａと水平支持板ｂとの間の挿込み噛合手段アおよびエｂ（図６（ａ））の各部は、図６の（ｂ）〜（ｆ）に示すとおり互いに斜交する状態において噛合し、これによって、垂直支持主板ａと水平支持板ｂは斜交扁平状態を保持する。
【００４３】
すなわち、挿込み噛合手段アおよびエｂは、垂直支持主板ａと水平支持板ｂを直交組立て状態または斜交扁平状態に維持し、かつ、これら垂直支持主板ａと水平支持板ｂを直交組立て状態から斜交扁平状態に、また反対に斜交扁平状態から直交組立て状態に回動するのを許容する。
【００４４】
ところで、本発明起伏自在組立て装飾体Ａは、例えば、図８〜１１に示すように、３連の折り畳み式カードＢに、その開閉と起立・伏倒によって、上記直交組立て状態と斜交扁平状態とになるようにして装架利用される。
【００４５】
折り畳み式カードＢは、中央板５０の両側に左，右板５１，５２を折り畳み自在に連設してなる。
中央板５０には窓孔５３を開設してあり、その窓孔５３の上側に設けた係止孔５４に、上記装飾体Ａの垂直支持主板ａの背びれ部３に設けてある前記吊下げ用の透孔１８を係合する。
【００４６】
折り畳み式カードＢは、上記左，右板５１，５２の遊端辺縁に凸片５１′と凹部５２′を係合させることにより、三角筒状体にして、起立することができ、この起立により、上記装飾体Ａは、立体組立て状態になって、窓孔５３に吊り下がる（図８〜１０）。
【００４７】
このように、三角筒状体をなして起立する折り畳み式カードＢの上記左，右板５１，５２を、それらの凸片５１′と凹部５２′の係合を外して、折り畳むとともに、伏倒すなわち横倒しにすると、立体組立て状態の上記装飾体Ａは、上記斜交扁平状態となる（図１１）。
【００４８】
【発明の効果】
以上詳述したところから明らかなように、本発明によれば次の効果を奏する。
すなわち、本発明起伏自在組立て装飾体は、垂直支持主板と複数枚の水平支持板および同じく複数枚の垂直支持副板が、その各々に形成した挿込み噛合手段で連繋され、全体として一種の複合リンク機構をなしているので、垂直支持主板と垂直支持副板との間に相対的に上下に移動する方向の力が作用すると、挿込み噛合手段において、垂直支持主板に対し水平支持板および垂直支持副板がそれぞれ所定方向に回動して重合し扁平状態になり、また、その扁平状態において、垂直支持主板と垂直支持副板との間に上記とは反対方向の力が作用すると、上記各挿込み噛合手段において、垂直支持主板に対し水平支持板および垂直支持副板が、それぞれ上記所定方向とは反対方向に回動して元の組立て状態に戻ることができるもので、従来の公知の立体形成部体の構成、すなわち、切込みまたは折曲線の形状等を変える程度では得られない新鮮または奇抜な表現ができ、起伏自在組立て装飾体として画期的なものである。
【００４９】
折り畳み式カード等の冊子に対し、垂直支持主板に設けた透孔等の吊下げ手段により吊下装架され、その開閉と起立・伏倒によって、上記直交組立て状態と斜交扁平状態とになるようにしたものは、意外性があり、商品価値を高めるのに大いに寄与する。
【００５０】
上記各挿込み噛合手段は、当該板の厚さの約３〜４倍の幅の複数の細溝を一直線上に所要の間隔で設け、かつ、所要の細溝で接続して、その間の部分を凸片とするとともに、一側端側の細溝の端を当該板の辺縁に開口させてなり、対応する挿込み噛合手段の各部は、細溝が互いに相手方の無溝部分に噛合するとともに、一方の細溝と他方の凸片が噛合し、一方の凸片と他方の細溝が噛合するようにした簡単な構成で、製作が容易である
【図面の簡単な説明】
【図１】本発明起伏自在組立て装飾体を海産魚マンボウの体型に具現化した実施形態の斜視図である。
【図２】薄層パーツである垂直支持主板の側面図である。
【図３】薄層パーツである３枚の水平支持板の平面図である。
【図４】薄層パーツである２枚の垂直支持副板の平面図である。
【図５】（ａ）は垂直支持主板に直交する１枚の水平支持板を組み込んだ状態の斜視図、（ｂ）〜（ｆ）は、その（ａ）のＩ−Ｉ線〜Ｖ−Ｖ線における各部の拡大断面図である。
【図６】（ａ）は垂直支持主板に組み込んだ上記１枚の水平支持板を斜交状態にした斜視図、（ｂ）〜（ｆ）は、その（ａ）のＶＩ−ＶＩ線〜Ｘ−Ｘ線における各部の拡大断面図である。
【図７】垂直支持主板に３枚の水平支持板を組み込み半組立て体とした状態を、２枚の垂直支持副板とともに示す斜視図である。
【図８】本発明起伏自在組立て装飾体を、三角筒状体にした折り畳み式カードに吊り下げた状態の斜視図である。
【図９】同上の平面図である。
【図１０】同上の折り畳み式カードの左，右板を少し開いている状態の斜視図である。
【図１１】同上の折り畳み式カードを左，右板を閉じるとともに伏倒すなわち横倒しにし、本発明起伏自在組立て装飾体を扁平にしようとしている状態の端面図である。
【符号の説明】
Ａ                            本発明起伏自在組立て装飾体
ａ                          垂直支持主板
ｂ，ｃ，ｄ                  水平支持板
ｅ，ｅ′                    垂直支持副板
ア〜ウ、エｂ〜エｄ，オｂ〜オｄ，
カｂ〜カｄ、キｅ，キｅ′、クｅ，
クｅ′、ケｅ，ケｅ′              挿込み噛合手段
６〜８，１０〜１２，１４〜１６，
１９ｂ〜２１ｂ                    細溝
９，１３，１７                    切溝
９′，１３′，１７′，２２′ｂ    凸片
【図１】
2004351883.tif 000003
【図２】
2004351883.tif 000004
【図３】
2004351883.tif 000005
【図４】
2004351883.tif 000006
【図５】
2004351883.tif 000007
【図６】
2004351883.tif 000008
【図７】
2004351883.tif 000009
【図８】
2004351883.tif 000010
【図９】
2004351883.tif 000011
【図１０】
2004351883.tif 000012
【図１１】
2004351883.tif 000013